(57)【要約】      （修正有）【課題】ワイヤハーネスに確実に固定されることができるワイヤハーネス用固定装置の提供する。【解決手段】設置枠と、該設置枠を受け入れて収容することができるキャップ２００とを備え、ワイヤハーネス３００の一端部３１０に取付可能なものであって、設置枠１００は開口幅が調整できる開口部１２０を有する。さらに、開口幅が広げられるとワイヤハーネス３００の一端部３１０を受け入れることができ、且つキャップ２００が設置枠を受け入れて収容すると、開口部１２０の開口幅が狭まるように構成する。【選択図】図３
0003177321.tif 000002
【実用新案登録請求の範囲】
【請求項１】
設置枠と、該設置枠を受け入れて収容することができるキャップと、を備え、ワイヤハーネスの一端部に取り付けることができるワイヤハーネス用固定装置であって、
前記設置枠は開口幅が調整できる開口部を有すると共に、前記開口幅が広げられると前記ワイヤハーネスの一端部を受け入れることができ、且つ前記キャップが前記設置枠を受け入れて収容すると、前記開口部の前記開口幅が狭まって前記ワイヤハーネスの一端部に固定されるように構成されていることを特徴とするワイヤハーネス用固定装置。
【請求項２】
前記キャップには、前記設置枠を受け入れることができるように形成されている第１の開口端部と、前記第１の開口端部の反対側に形成されている第２の開口端部と、が設けられていることを特徴とする請求項１に記載のワイヤハーネス用固定装置。
【請求項３】
前記第１の開口端部の開口は、前記第２の開口端部の開口より広く形成されていることを特徴とする請求項２に記載のワイヤハーネス用固定装置。
【請求項４】
前記設置枠の前記開口部は、可撓性を有するように形成され、前記キャップが前記設置枠を受け入れて収容すると、前記開口部の前記開口幅が狭まるように構成されていることを特徴とする請求項３に記載のワイヤハーネス用固定装置。
【請求項５】
前記設置枠の前記開口部は、互いに向き合い、且つ互いに接近したり離間したりすることができる一対の側壁によって画成され、
前記一対の側壁には、互いに向かい合って突起する止めブロックがそれぞれ形成されていることを特徴とする請求項１に記載のワイヤハーネス用固定装置。
【請求項６】
各前記止めブロックには、該止めブロックの先端縁から該止めブロックが形成されている側壁側へ凹陥する溝が形成されていることを特徴とする請求項５記載のワイヤハーネス用固定装置。
【請求項７】
前記設置枠の前記開口部には、該開口部の外側面から外側へ張り出す第１の係止突起が形成されており、
前記キャップの第２の開口端部には、該第２の開口端部の内側面から内側へ張り出して前記第１の係止突起を係止することができる第２の係止突起が形成されていることを特徴とする請求項１に記載のワイヤハーネス用固定装置。
【請求項８】
前記設置枠の前記開口部は、互いに向き合い、且つ互いに接近したり離間したりすることができる一対の側壁によって画成され、
前記キャップに形成されている一対の前記第２の係止突起の間の最短距離は、
該一対の前記第２の係止突起が一対の前記第１の係止突起とそれぞれ噛み合う時に、一対の前記側壁の外側面において該一対の前記第２の係止突起がそれぞれ当接する箇所が外力を受けない状態での該箇所間の最短距離より狭くなるように形成されていることを特徴とする請求項７に記載のワイヤハーネス用固定装置。
【考案の詳細な説明】
【技術分野】
【０００１】
本考案はワイヤハーネス用固定装置に関し、特に、複数本のワイヤをまとめて束にすることができるワイヤハーネスに用いられる固定装置に関する。
【背景技術】
【０００２】
ワイヤハーネスは複数の電線を束にすることによって、機械の組立工程を簡略化したり、電線の束が占める空間を減らしたり、振動による擦れ合いを小さくしたりできる。ワイヤハーネスに用いられる固定装置は、ワイヤハーネスの一端または両端に取り付けられ、複数の電線をまとめるのに必要不可欠である。
【考案の概要】
【考案が解決しようとする課題】
【０００３】
しかし、現在ワイヤハーネスに用いられる固定装置は、電線を纏める作業中にワイヤハーネスから外れやすいので、不便である。
【０００４】
本考案は、ワイヤハーネスに確実に固定されることができるワイヤハーネス用固定装置の提供を目的とする。
【課題を解決するための手段】
【０００５】
上記目的を達成すべく、本考案は、設置枠と、該設置枠を受け入れて収容することができるキャップと、を備えていて、ワイヤハーネスの一端部に取り付けることができるワイヤハーネス用固定装置であって、前記設置枠は開口幅が調整できる開口部を有すると共に、前記開口幅が広げられると前記ワイヤハーネスの一端部を受け入れることができ、且つ前記キャップが前記設置枠を受け入れて収容すると、前記開口部の前記開口幅が狭まれて前記ワイヤハーネスの一端部に固定されるように構成されていることを特徴とするワイヤハーネス用固定装置を提供する。
【０００６】
上記ワイヤハーネス用固定装置において、前記キャップには、前記設置枠を受け入れることができるように形成されている第１の開口端部と、前記第１の開口端部の反対側に形成されている第２の開口端部と、が設けられていることが好ましい。
【０００７】
上記ワイヤハーネス用固定装置において、前記第１の開口端部の開口は、前記第２の開口端部の開口より広く形成されていることが好ましい。
【０００８】
上記ワイヤハーネス用固定装置において、前記設置枠の前記開口部は、可撓性を有するように形成され、前記キャップが前記設置枠を受け入れて収容すると、前記開口部の前記開口幅が狭まれるように構成されていることが好ましい。
【０００９】
上記ワイヤハーネス用固定装置において、前記設置枠の前記開口部は、互いに向き合い、且つ互いに接近したり離間したりすることができる一対の側壁によって画成され、前記一対の側壁に、互いに向かい合って突起する止めブロックがそれぞれ形成されていることが好ましい。
【００１０】
上記ワイヤハーネス用固定装置において、各前記止めブロックに、該止めブロックの先端縁から該止めブロックが形成されている側壁側へ凹陥する溝が形成されていることが好ましい。
【００１１】
上記ワイヤハーネス用固定装置において、前記設置枠の前記開口部に、該開口部の外側面から外側へ張り出す第１の係止突起が形成されており、前記キャップの前記第２の開口端部に、該第２の開口端部の内側面から内側へ張り出して前記第１の係止突起を係止することができる第２の係止突起が形成されていることが好ましい。
【００１２】
上記ワイヤハーネス用固定装置において、前記キャップに形成されている一対の前記第２の係止突起の間の最短距離は、該一対の前記第２の係止突起が一対の前記第１の係止突起とそれぞれ噛み合う時に、一対の前記側壁の外側面において該一対の前記第２の係止突起がそれぞれ当接する箇所が外力を受けない状態での該箇所間の最短距離より狭くなるように形成されていることが好ましい。
【考案の効果】
【００１３】
上記構成により、本考案のワイヤハーネス用固定装置は、設置枠でワイヤハーネスの一端部を受け入れることができ、キャップが設置枠を受け入れて収容すると、設置枠の開口部の開口幅が狭まるので、設置枠に受けいれられるワイヤハーネスの一端部を確実に挟んで固定し、キャップを設置枠から引き離さない限り、ワイヤハーネスの該一端部は設置枠及びキャップの間に確実に収容される。
【図面の簡単な説明】
【００１４】
【図１】ワイヤハーネスの一端部が本考案のワイヤハーネス用固定装置に収容されて固定される様子が示されている斜視図である。
【図２】本考案のワイヤハーネス用固定装置における設置枠とキャップが離間している様子が示されている斜視図である。
【図３】図１に示されている状態での構成関係を説明する分断図である。
【考案を実施するための形態】
【００１５】
以下は図面に参照しながら、本考案の好ましい実施形態について詳しく説明する。
【００１６】
図１はワイヤハーネスの一端部が本考案のワイヤハーネス用固定装置に収容されて固定される様子が示されている斜視図であり、図２は本考案のワイヤハーネス用固定装置における設置枠とキャップが離間している様子が示されている斜視図であり、図３は図１に示されている状態での構成関係を説明する分断図である。
【００１７】
図１に示されているように、本考案のワイヤハーネス用固定装置は、設置枠１００と、該設置枠１００を受け入れて収容することができるキャップ２００とを備えていて、ワイヤハーネス３００の一端部３１０に取り付けることができるものである。
【００１８】
図２に示されているように、設置枠１００は可撓性を有する材料により作成されたものであり、両端１１１、１１１が互いに向かい合い、且つハーネス収容空間１０３を囲む正台形の枠状に曲がるように形成された本体部１１０と、本体部１１０の両端１１１、１１１からそれぞれ延伸して開口部１２０を画成する一対の側壁１２１と、を備えている。
【００１９】
この構成により、開口部１２０は一対の側壁１２１の間の距離、即ち開口幅が調整できるようになっていると共に、開口幅が広げられるとワイヤハーネス３００の一端部３１０を本体部１１０により囲まれているハーネス収容空間１０３に受け入れることができる。
【００２０】
また、図３に示されているように、一対の側壁１２１の内側面に、互いに向かい合って突起する止めブロック１２２がそれぞれ形成されており、各止めブロック１２２に、該止めブロック１２２の先端縁から該止めブロック１２２が形成されている側壁１２１側へ凹陥する溝（図示せず）が形成されている。
【００２１】
本体部１１０により受け入れられているワイヤハーネス３００の一端部３１０は、周縁が一対の側壁１２１に形成されている溝に嵌め込まれている。
【００２２】
ちなみに、ワイヤハーネス３００の一端部３１０については、ハーネス収容空間１０３により収容される部分が他の部分より厚くなるように、折り畳まれることが好ましい。この厚く折り畳まれる部分が、止めブロック１２２により止められて開口部１２０から外れることを避けることができる。
【００２３】
キャップ２００は、設置枠１００を受け入れる時、設置枠１００を囲む周壁２１０と、設置枠１００を受け入れることができるように形成されている第１の開口端部２０１と、第１の開口端部２０１の反対側に形成されている第２の開口端部２０２とを有すると共に、本体部１１０が正台形の枠状に形成された設置枠１００の形状に対応して、第１の開口端部２０１の開口は、第２の開口端部２０２の開口より広く形成された構成であって、前記設置枠全体を受け入れて収容することができる。
【００２４】
また、周壁２１０は設置枠１００を受け入れる時、設置枠１００に当接する内壁面２１１を有している。
【００２５】
更に、設置枠１００の開口部１２０が有する一対の側壁１２１に、該側壁１２１の外側面１２３から外側へ張り出す第１の係止突起１２４がそれぞれ形成されており、キャップ２００の第２の開口端部２０２に、該第２の開口端部２０２の内側面の各側壁１２１に向かい合う箇所からそれぞれ内側へ張り出して第１の係止突起１２４を係止することができる第２の係止突起２０３が形成されている。この構成によりキャップ２００が設置枠１００を受け入れて収容すると、第１の係止突起１２４と第２の係止突起２０３との噛み合いで設置枠１００をキャップ２００に固定することができる。
【００２６】
更に、キャップ２００に形成されている一対の第２の係止突起２０３の間の最短距離は、該一対の第２の係止突起２０３が第１の係止突起１２４と噛み合う時に、一対の側壁１２１の外側面１２３において該一対の第２の係止突起２０３がそれぞれ当接する箇所１２５が外力を受けない状態での該箇所１２５間の最短距離より狭くなるように形成されている。
【００２７】
この構成により、キャップ２００が設置枠１００を受け入れて収容し、第１の係止突起１２４と第２の係止突起２０３との噛み合いで設置枠１００をキャップ２００に固定する時、設置枠１００が可撓性を有する材料により作成されたので、設置枠１００における本体部１１０の両端１１１、１１１は、キャップ２００の周壁２１０の内壁面２１１に圧迫されてキャップ２００内に固定され、ワイヤハーネス３００に対する接続を強化することができ、そして設置枠１００の開口部１２０が一対の第２の係止突起２０３により圧迫されて通常時より狭まりワイヤハーネス３００の一端部３１０を挟むことによって、ワイヤハーネス３００の一端部３１０に固定されるようになる。
【産業上の利用可能性】
【００２８】
上記構成により、本考案のワイヤハーネス用固定装置は、設置枠でワイヤハーネスの一端部を受け入れることができ、キャップが設置枠を受け入れて収容すると、設置枠の開口部の開口幅が狭まることから、設置枠に受けいれられるワイヤハーネスの一端部を確実に挟んで固定することができるので、キャップを設置枠から引き離さない限り、ワイヤハーネスの該一端部は設置枠及びキャップの間に確実に収容される。
【符号の説明】
【００２９】
１００  設置枠
１０３  ハーネス収容空間
１１０  本体部
１１１  両端
１２０  開口部
１２１  側壁
１２２  止めブロック
１２３  外側面
１２４  第１の係止突起
２００  キャップ
２０１  第１の開口端部
２０２  第２の開口端部
２０３  第２の係止突起
２１０  周壁
２１１  内壁面
３００  ワイヤハーネス
３１０  一端部
【図１】
0003177321.tif 000003
【図２】
0003177321.tif 000004
【図３】
0003177321.tif 000005